(57)【要約】  本発明の装置は、第１の画像取り込み装置と、前記第１装置で取り込まれた画像（３）を表示する表示スクリーン（２）と、第２装置との接続装置とを有し、前記第２装置は、パターンを特定するために、前記取り込まれた画像（３）を処理し、前記特定されたパターンの位置基準ベクトル（positional reference vector）を、前記第１装置に対し計算し、前記位置基準ベクトルを考慮に入れながら、前記表示スクリーン（２）上で、前記取り込まれた画像（３）の上に重ねるのに適した寸法調整済み画像（４）又はその組を生成する、前記取り込まれた画像（３）に関連する情報を提供する。本発明の方法は、装置を用いたAugmented Reality Resourcesのアプリケーション用の方法である。
2008521110.tif 000002
【特許請求の範囲】
【請求項１】
Augmented Reality Resourcesのアプリケーション用の画像取り込み機能を具備する個人装置において、
（Ａ）  第１の画像取り込み装置（以下第１装置と称する）と、
（Ｂ）  前記第１装置で取り込まれた画像（３）を表示する表示スクリーン（２）と、
（Ｃ）  第２装置との接続装置と、
を有し、
前記第２装置は、
（Ｘ）  パターンを特定するために、前記取り込まれた画像（３）を処理し、
（Ｙ）  前記特定されたパターンの位置基準ベクトル（positional reference vector）を、前記第１装置に対し計算し、
（Ｚ）  前記位置基準ベクトルを考慮に入れながら、前記表示スクリーン（２）上で、前記取り込まれた画像（３）の上に重ねるのに適した寸法調整済み画像（４）又はその組を生成する、前記取り込まれた画像（３）に関連する情報を提供する
ことを特徴とする個人用装置。
【請求項２】
前記第２装置は、前記個人用装置（１）に組み込まれて、第１装置との組み立て体を形成する
ことを特徴とする請求項１記載の装置。
【請求項３】
前記第２装置は、遠隔地にあり、
前記個人用装置（１）は、
（Ｄ）  前記第２装置と通信するのに適した通信ユニット
を更に有する
ことを特徴とする請求項１記載の装置。
【請求項４】
前記第２装置を組み込む構成要素は、遠隔地と個人用装置（１）との間に配置され
前記個人用装置（１）は、
（Ｅ）  前記遠隔地にある構成要素と通信できる通信ユニット
を更に有する
ことを特徴とする請求項１記載の装置。
【請求項５】
前記パターンは、グラフィック要素を表す
ことを特徴とする請求項１記載の装置。
【請求項６】
前記グラフィック要素は、対象物（５）の画像の一部である
ことを特徴とする請求項５記載の装置。
【請求項７】
前記グラフィック要素は、対象物（５）の画像の全てである
ことを特徴とする請求項５記載の装置。
【請求項８】
前記情報が前記取り込まれた画像（３）を置換する時、前記情報は、仮想画像と現実画像を生成するデータを有し、その両方の重なりあるいは組み合わせが三次元画像を形成する
ことを特徴とする請求項１記載の装置。
【請求項９】
前記情報は、三次元画像を生成するデータを含む
ことを特徴とする請求項１記載の装置。
【請求項１０】
前記通信ユニットは、前記取り込まれた画像（３）を、前記第２装置あるいはその一部に、送信する
ことを特徴とする請求項３もしくは４記載の装置。
【請求項１１】
前記第２装置は、
受信した取り込まれた画像（３）を処理し、
各特定されたパターンの位置基準ベクトルを、個人用装置（１）に返信する
ことを特徴とする請求項１０記載の装置。
【請求項１２】
前記第２装置は、返信された位置基準ベクトル用の関連マスクを具備する画像（４）を、個人用装置（１）に、返信する
ことを特徴とする請求項１１記載の装置。
【請求項１３】
前記第２装置は、前記寸法調整済み画像（４）又はその組の生成ができるように、各返信された位置基準ベクトル用のマスクを、個人用装置（１）に返信する
ことを特徴とする請求項１１記載の装置。
【請求項１４】
前記個人用装置（１）内に配置された第２装置の構成要素は、前記寸法調整済み画像（４）又はその組を、個人用装置（１）に返信された前記位置基準ベクトル又はマスクに応じて、生成する
ことを特徴とする請求項１１もしくは１３記載の装置。
【請求項１５】
前記個人用装置（１）内に配置された第２装置の構成要素は、その中に記憶された一連の画像を有し、
前記構成要素は、前記寸法調整済み画像（４）又はその組を、前記一連の記憶された画像から、選択手段により、生成する
ことを特徴とする請求項１４記載の装置。
【請求項１６】
前記構成要素は、前記寸法調整済み画像（４）又はその組を生成するために、前記記憶された画像を操作する
ことを特徴とする請求項１５記載の装置。
【請求項１７】
前記表示スクリーン（２）上で、前記返信されたあるいは生成された寸法調整済み画像（４）を、前記取り込まれた画像（３）の上に重ね合わせる
ことを特徴とする請求項１２もしくは１４記載の装置。
【請求項１８】
前記表示スクリーン（２）上で、前記返信されたあるいは生成された寸法調整済み画像（４）で、前記取り込まれた画像（３）を置換する
ことを特徴とする請求項１２もしくは１３記載の装置。
【請求項１９】
前記通信ユニットは、前記取り込まれた画像（３）を前記第２装置に、少なくとも部分的に、あるいは白黒画像で、送信する
ことを特徴とする請求項１０記載の装置。
【請求項２０】
前記通信ユニットは、前記取り込まれた画像（３）を前記第２装置に、全部あるいは一部を、送信する
ことを特徴とする請求項１０記載の装置。
【請求項２１】
前記表示スクリーン（２）は、個人用装置（１）に属するアプリケーションに関連する情報を表示する
ことを特徴とする請求項１記載の装置。
【請求項２２】
前記表示スクリーン（２）は、タッチパネル表示スクリーンであり、
ユーザは、個人用装置（１）に属するアプリケーションと対話あるいは使用できる
ことを特徴とする請求項２１記載の装置。
【請求項２３】
Augmented Reality Resourcesのアプリケーション用の画像取り込み機能を具備する個人装置において
（Ａ）  第１の画像取り込み装置（以下第１装置と称する）と、
（Ｂ）  前記第１装置で取り込まれた画像（３）を表示する表示スクリーン（２）と、
（Ｃ）  第２装置との接続装置と、
を有し、
前記第２装置は、
（Ｘ）  パターンを特定するために、前記取り込まれた画像（３）を処理し、
（Ｙ）  前記表示スクリーン（２）上で、前記取り込まれた画像（３）の上に、重ね合わせる為に適した、寸法調整済み画像（４）又はその組を生成する、前記取り込まれた画像（３）に関連する情報を提供する
ことを特徴とする個人用装置。
【請求項２４】
前記寸法調整済み画像（４）は、二次元あるいは三次元のテキストメッセージを表示する
ことを特徴とする請求項２３記載の装置。
【請求項２５】
Augmented Reality Resourcesのアプリケーション用の画像取り込み機能を具備する個人装置において
（Ａ）  第１の画像取り込み装置（以下第１装置と称する）と、
（Ｂ）  前記第１装置で取り込まれた画像（３）を表示する表示スクリーン（２）と、
（Ｃ）  第２装置との接続装置と、
（Ｄ）  前記取り込まれた画像（３）又はその一部と位置基準ベクトルを遠隔地に送信する通信ユニットと
を有し、
前記第２装置は、
（Ｘ）  パターンを特定するために、前記取り込まれた画像（３）を処理し、
（Ｙ）  前記特定されたパターンの位置基準ベクトルを、前記第１装置に対し計算する
ことを特徴とする個人用装置。
【請求項２６】
Augmented Reality Resourcesのアプリケーション用の画像取り込み機能を具備する個人装置において
（Ａ）  第１の画像取り込み装置（以下第１装置と称する）と、
（Ｂ）  前記第１装置で取り込まれた画像（３）を表示する表示スクリーン（２）と、
（Ｃ）  第２装置との接続装置と、
（Ｄ）  前記取り込まれた画像（３）又はその一部と位置基準ベクトルを遠隔地に送信する通信ユニットと
を有し、
前記第２装置は、
（Ｘ）  パターンを特定するために、前記取り込まれた画像（３）を処理する
ことを特徴とする個人用装置。
【請求項２７】
前記第２装置は、
（Ｙ）  前記特定されたパターンの位置基準ベクトルを、前記第１装置に対し計算し、
前記通信ユニットは、前記位置基準ベクトルを遠隔地に送信する
ことを特徴とする請求項２６記載の装置。
【請求項２８】
Augmented Reality Resourcesのアプリケーション用の方法において、
画像取り込み機能を有する個人用装置により実行される、
（Ａ）  第１装置で画像を取り込むステップと、
（Ｂ）  前記取り込まれた画像（３）を、前記個人用装置（１）の表示スクリーン（２）上に表示するステップと、
（Ｃ）  前記取り込まれた画像（３）を、第２装置に送信するステップと、
（Ｄ）  前記第２装置内で、以下のサブステップを実行するステップと、
（Ｘ）  パターンを特定するために、前記取り込まれた画像（３）を処理するサブステップ、
（Ｙ）  前記特定されたパターンの位置基準ベクトルを、前記第１装置に対し計算るサブステップ、
（Ｚ）  前記位置基準ベクトルを考慮に入れながら、前記表示スクリーン（２）上で、前記取り込まれた画像（３）の上に重ねるのに適した寸法調整済み画像（４）又はその組を生成する、前記取り込まれた画像（３）に関連する情報を提供するるサブステップ、
（Ｅ）  前記寸法調整済み画像（４）あるいはその組を、取り込まれた画像（３）の上に重ねて、表示スクリーン（２）に表示するステップと
を有する
ことを特徴とする方法。
【請求項２９】
（Ｆ）  前記提供された情報に基づいて、取り込まれた画像（３）と寸法調整済み画像（４）の両方の組に対する上記の全てのステップを実行するステップ
さらにを有する
ことを特徴とする請求項２８記載の方法。
【請求項３０】
前記画像の組は、ビデオシーケンスを形成する
ことを特徴とする請求項２９記載の方法。
【請求項３１】
（Ｇ）  異なる角度から前記（Ａ）ステップを実行する
ことを特徴とする請求項２８記載の方法。
【請求項３２】
前記提供された情報は、それぞれの角度から見た寸法調整済み画像（４）又はその組を生成するデータを含む
ことを特徴とする請求項２８もしくは２９記載の方法。
【請求項３３】
Augmented Reality Resourcesのアプリケーション用の方法において、
画像取り込み機能を有する個人用装置により実行される、
（Ａ）  第１装置で画像を取り込むステップと、
（Ｂ）  前記取り込まれた画像（３）を、前記個人用装置（１）の表示スクリーン（２）上に表示するステップと、
（Ｃ）  前記取り込まれた画像（３）を、第２装置に送信するステップと、
（Ｄ）  前記第２装置内で、以下のサブステップを実行するステップと、
（Ｘ）  パターンを特定するために、前記取り込まれた画像（３）を処理するサブステップと、
（Ｙ）  前記表示スクリーン（２）上で、前記取り込まれた画像（３）の上に重ねるのに適した寸法調整済み画像（４）又はその組を生成する、前記取り込まれた画像（３）に関連する情報を提供するるサブステップと、
（Ｅ）  前記寸法調整済み画像（４）あるいは寸法調整済み画像（４）の組を、取り込まれた画像（３）の上に重ねて、表示スクリーン（２）に表示するステップと
を有する
ことを特徴とする方法。
【請求項３４】
前記寸法調整済み画像（４）は、二次元あるいは三次元のテキストメッセージを表示する
ことを特徴とする請求項３３記載の装置。
【発明の詳細な説明】
【技術分野】
【０００１】
本発明は、Augmented Reality Resourcesのアプリケーション用に画像取り込み機能を具備し、前記画像を表示する表示スクリーン具備する個人用装置と、Augmented Reality Resourcesのアプリケーションの方法に関する。
【背景技術】
【０００２】
技術進歩により、既に公知のVirtual realityを、革新的なAugmented Realityが、超えている。この革新的なAugmented Realityとは、仮想空間（vitual world）と現実空間（real world）とを組み合わせて、見る者に実際の情報に重ね合わせた仮想情報を提供する。
【０００３】
Augmented Realityは大きな利点を有する。例えば、Virtual realityとは異なり、ユーザを自分の置かれた環境から切り離さずに、ユーザの環境の中に存在しない仮想の要素を追加することにより、それを改善し接触させる利点がある。
【０００４】
多くの分野で多数のアプリケーションがある。これらのアプリケーションは、受動的である、即ちユーザの介在を必要としない。例えば建築の分野では、完成後の家の形の三次元の画像、家の現在の（建築中の）状態と完成後に含まれる（依然として仮想的な）要素とを組み合わせるだけである。
【０００５】
例えば、Augmented Realityの上記の受動的アプリケーションの代表的な提案は、特許文献１で提案されたものである。特許文献１は、ビデオ／テレビのプログラムの視聴者が、そのビデオ／テレビのプログラムに関連する同期化された補足的マルチメディア情報を、自動的にあるいは要求により、受信できるようにするシステムと方法に関する。
【０００６】
【特許文献１】米国特許出願第２００２／０１８８９５９号明細書
【特許文献２】米国特許出願第２００４／０１１３８８５号明細書
【特許文献３】米国特許出願第２００２／０１６７５３６号明細書
【０００７】
能動的と考えられるアプリケーションもある。このアプリケーションでは、ユーザは表示された要素と対話（相互に作用）する。これらのアプリケーション、例えばコンピュータサイエンスの分野においては、多くのコンピュータの周辺機器は、仮想要素（例、様々な機能を活性化するキーボード、マウス、ボタン、ユーザの一連の動き）で置換できる。これは、ユーザが活性化しようとする機能に応じて行われ、適宜の検出器（例、相対的位置の検出）により、システムにより認識される。
【０００８】
これらのアプリケーションの一例は、特許文献２で提案されている。特許文献２は、入力装置を用いたAugmented Realityシステムであり、ユーザはこのシステムと対話できる。この提案されたシステムは、ユーザにAugmented imageを表示する表示装置と、現実空間の対象物の位置を把握するビデオベースのトラッキング（追跡）システムと、プロセッサーと入力装置とを有する。プロセッサーは、ユーザの見た位置と方向を現実空間の目的（対象）物の位置に基づいて決定し、この仮想の目的物を表示装置に投影する。入力装置は、物理的ボタンをシュミレートするようAugmented され、ユーザが見えるシーン内で、現実空間内の所定位置にある一連のマーカを有する。これらのマーカは、ユーザが自分の指をマーカの上に置くことにより、ユーザにより物理的に操作される。この動作は、トラッキングシステムにより認識され処理される。この様な入力装置は、従来の周辺機器（例、キーボード又はマウス）を置換できる。
【０００９】
別の種類のアプリケーションは、Augmented Realityとを組み合わせた既存の無線インフラにより、ユーザがそれを表示手段を含む携帯装置で使用できるようにしている。
【００１０】
この様なアプリケーションの代表例が特許文献３で提案されている。特許文献３は、コンピュータで生成されたシーンを現実のシーンに重ね合わせることにより、Augmented Realityを見ることができるようにする表示装置を有する携帯用の電子装置とその方法とシステムに関連する。
【００１１】
この様な表示装置は、２つの位置（position）を採用する。その内の１つの位置で、仮想シーンと重ね合わさった現実シーンを見ることができるようになる。これは、表示スクリーンに回転可能に搭載した半透明のミラーと表示手段とで得られる。
【００１２】
このミラーを通して、（半透明である故にそれが可能であるが）、ユーザは、現実空間をユーザの位置に応じて見ることができ、表示スクリーン上に表示された仮想の画像をそこに反映させることもできる。これにより、ミラー内で現実のイメージ内に重ね合わせられる。
【発明の開示】
【発明が解決しようとする課題】
【００１３】
本発明は、特に特許文献３で議論された表示手段を目視装置として必要とすることなく、新たなステップを表す最新の技術に対する別の解決方法を提供する。これは、携帯装置に限定することなく、あらゆる種類の個人装置に適用できる。
【課題を解決するための手段】
【００１４】
上記の目的とその他目的は、本発明の以下に記載の個人装置により達成できる。即ち、本発明のAugmented Reality Resourcesのアプリケーション用の画像取り込み機能を具備する個人装置は、
（Ａ）  第１の画像取り込み装置（以下第１装置と称する）と、
（Ｂ）  前記第１装置で取り込まれた画像を表示する表示スクリーンと、
（Ｃ）  第２装置との接続装置と、
を有し、
前記第２装置は、
（Ｘ）  パターンを特定するために、前記取り込まれた画像を処理し、
（Ｙ）  前記特定されたパターンの位置基準ベクトル（positional reference vector）を、前記第１装置に対し計算し、
（Ｚ）  前記位置基準ベクトルを考慮に入れながら、前記表示スクリーン上で、前記取り込まれた画像の上に重ねるのに適した寸法調整済み画像(suitably dimentional image)又はその組を生成する、前記取り込まれた画像に関連する情報を提供する。
【００１５】
前記パターンは、グラフィック要素を表し、目的物あるいは対象物の画像の一部あるいは全てである。
【００１６】
本発明の異なる構成も可能である。本発明の一実施例によれば、前記第２装置は、前記個人用装置に組み込まれて、第１装置との組み立て体を形成する。
【００１７】
本発明の他の構成によれば、前記第２装置は離れた場所にあり、前記個人用装置は前記第２装置と通信するのに適した通信ユニットを更に有する。
【００１８】
本発明の他の構成によれば、第２装置を組み込む構成要素は、遠隔地と個人用装置との間に配置され、前記個人用装置は、前記遠隔地にある構成要素と通信できる通信ユニットを更に有する。
【００１９】
一実施例によれば、前記通信ユニットは、前記取り込まれた画像を、前記第２装置あるいはその一部に送信する。
【００２０】
一実施例によれば、前記第２装置は、
受信した取り込まれた画像の処理を実行し、各特定されたパターンの位置基準ベクトルを、個人用装置に返信する。
更に好ましくは、
前記第２装置は、返信された位置基準ベクトル用の関連マスクを具備する画像を、
前記寸法調整済み画像又はその組の生成ができるように、各返信された位置基準ベクトル用のマスクを、
個人用装置に、返信する。
【００２１】
第２装置あるいはその構成要素が、個人用装置内に配置された時は、この構成要素は、前記寸法調整済み画像又はその組を、個人用装置に戻された位置基準ベクトル又はマスクに応じて生成する。
【００２２】
この為に、前記個人用装置内に配置された第２装置の構成要素は、その中に記憶された一連の画像を有し、前記構成要素は、前記寸法調整済み画像又はその組を、前記一連の記憶された画像から、選択手段により、生成する、あるいは、前記構成要素は、前記寸法調整済み画像又はその組を生成するために、前記記憶された画像を操作する。言い換えると装置が位置基準ベクトル又はマスクを第２装置の一連の構成部品から受領すると第１装置から既に送信された画像に対し、第２装置の別の一連の構成要素は前記ベクトル又はマスクに関連して記憶した画像を選択しそれを適宜寸法を合わせて、最終的にそれを取り込み画像上で寸法調整済み画像に重ね合わせる。かくしてAugmented Reality効果が得られるか又は前記効果を新たなイメージの生成手段により生成し、それらからそこに特定のアルゴリズムを駆動することにより記憶し、又は画像ではない記憶された一連のデータから記憶し、寸法調整済み画像をこの新たに取り込み画像上で生成された新たな画像で置換する。
【００２３】
本発明の装置は、前記表示スクリーン上で、前記返信されたあるいは生成された寸法調整済み画像を、前記取り込まれた画像の上に重ね合わせる。
【００２４】
前記通信ユニットは、前記取り込まれた画像を前記第２装置に、少なくとも部分的に、白黒画像で、全部あるいは一部を、送信する。
【００２５】
この本発明の装置は、Augmented Reality Resourceのアプリケーション専用に設計された装置、あるいは異なる機能を実行する装置の両方である。後者の場合、前記表示スクリーンは、個人用装置に属するアプリケーションに関連する情報を表示する。前記表示スクリーンは、タッチパネル表示スクリーンであり、ユーザは、個人用装置に属するアプリケーションと対話あるいはそれを使用できる。カメラを組み込んだ携帯電話の場合には、その固有の機能（電話、マルチメディアのアプリケーション等）に加えて、カメラを使用してそれを表示装置がスクリーンに映し出しAugmented Reality Resourcesのアプリケーション用に用いることができる。
【００２６】
本発明の第２の態様として、本発明のAugmented Reality Resourcesのアプリケーション用の画像取り込み機能を具備する個人装置は、
（Ａ）  第１の画像取り込み装置（以下第１装置と称する）と、
（Ｂ）  前記第１装置で取り込まれた画像を表示する表示スクリーンと、
（Ｃ）  第２装置との接続装置と、
を有し、
前記第２装置は、
（Ｘ）  パターンを特定するために、前記取り込まれた画像を処理し、
（Ｙ）  前記表示スクリーン上で、前記取り込まれた画像の上に、重ね合わせる為に適した、寸法調整済み画像又はその組を生成する、前記取り込まれた画像に関連する情報を提供する。
【００２７】
本発明の一実施例によれば、前記寸法調整済み画像は、二次元あるいは三次元のテキストメッセージを表示する。
【００２８】
本発明の第２の態様として、本発明のAugmented Reality Resourcesのアプリケーション用の画像取り込み機能を具備する個人装置は、
（Ａ）  第１の画像取り込み装置（以下第１装置と称する）と、
（Ｂ）  前記第１装置で取り込まれた画像を表示する表示スクリーンと、
（Ｃ）  第２装置との接続装置と、
（Ｄ）  前記取り込まれた画像又はその一部と位置基準ベクトルを遠隔地に送信する通信ユニットと
を有し、
前記第２装置は、
（Ｘ）  パターンを特定するために、前記取り込まれた画像を処理する。
【００２９】
前記第２装置は、さらに、
（Ｙ）  前記特定されたパターンの位置基準ベクトルを、前記第１装置に対し計算する。
【００３０】
前記第２装置は、前記遠隔地から来た前記取り込まれた画像に関連する情報を受信し、処理し、前記位置基準ベクトルを考慮に入れながら、前記表示スクリーン上で、前記取り込まれた画像の上に重ねるのに適した寸法調整済み画像又はその組を生成する、前記取り込まれた画像に関連する情報を提供する。
【００３１】
本発明の第２の態様として、本発明のAugmented Reality Resourcesのアプリケーション用の方法は、画像取り込み機能を有する個人用装置により、
（Ａ）  第１装置で画像を取り込むステップと、
（Ｂ）  前記取り込まれた画像を、前記個人用装置（１）の表示スクリーン上に表示するステップと、
（Ｃ）  前記取り込まれた画像を、第２装置に送信するステップと、
（Ｄ）  前記第２装置内で、以下のサブステップを実行するステップと、
（Ｘ）  パターンを特定するために、前記取り込まれた画像を処理するサブステップ、
（Ｙ）  前記特定されたパターンの位置基準ベクトルを、前記第１装置に対し計算るサブステップ、
（Ｚ）  前記位置基準ベクトルを考慮に入れながら、前記表示スクリーン上で、前記取り込まれた画像の上に重ねるのに適した寸法調整済み画像又はその組を生成する、前記取り込まれた画像に関連する情報を提供するるサブステップ、
（Ｅ）  前記寸法調整済み画像あるいはその組を、取り込まれた画像の上に重ねて、表示スクリーンに表示するステップと
を実行する。
【００３２】
本発明の方法は、更に提供された情報に基づいて、寸法調整済み画像と生成された画像の両方又はそのイメージの組に対し全てのステップを実行する。
【００３３】
前記画像の組は、ビデオシーケンスを形成する。
【００３４】
本発明の方法は、別の角度からの前記画像を取り込むステップを有する。
【００３５】
このアプリケーションにより、例えば複数の組み合わせの中から、固定された画像を取り込み送信し、装置の表示スクリーン上で見ることのできる三次元画像を受領し、前記固定画像を異なる角度から見た画像に重ね合わせるあるいは置換するステップを含む。
【実施例】
【００３６】
図に示すように本発明の第１態様においては、本発明は、Augmented Reality Resourcesのアプリケーション用の画像取り込み機能を有する個人用装置１に関する。この個人用装置１は一例としてカメラ（図示せず）を組み込んだ携帯電話であるが、別の種類の個人用装置、例えば電子アジェンダ、ラップトップコンピュータも含む。
【００３７】
本発明の個人装置は、
（Ａ）  第１の画像取り込み装置（以下第１装置と称する）例、カメラと、
（Ｂ）  前記第１装置で取り込まれた画像を表示する表示スクリーンと、
（Ｃ）  第２装置との接続装置と、
を有し、
前記第２装置は、
（Ｘ）  パターンを特定するために、前記取り込まれた画像を処理し、
（Ｙ）  前記特定されたパターンの位置基準ベクトルを、前記第１装置に対し計算し、
（Ｚ）  前記位置基準ベクトルを考慮に入れながら、前記表示スクリーン上で、前記取り込まれた画像の上に重ねるのに適した寸法調整済み画像又はその組を生成する、前記取り込まれた画像に関連する情報を提供する。
【００３８】
本発明の一実施例によれば、  前記第２装置は、前記個人用装置に組み込まれて、第１装置との組み立て体を形成する。あるいは、前記第２装置は、離れた場所にあり、前記個人用装置は、前記第２装置と通信するのに適した通信ユニット更に有する。
【００３９】
このパターンは、グラフィック要素を表し、対象物５のビューの一部、あるいは全てである。例えばこれは、図１ａの広告ポスターが貼られているバスストップで、個人用装置１であるカメラで撮られたもので、表示スクリーン２に表示している。あるいは図２ａに示す雑誌でその一部をカメラで撮りそれを図２ｂの携帯電話の表示スクリーン２上に表示する。
【００４０】
ここに示した実施例（図１ｂ，２ｂ，３ａ，３ｂ，３ｃ参照のこと）においては、生成された寸法調整済み画像４は、完全に仮想であり、表示スクリーン２上でカメラにより撮られた取り込み画像３の上に重ねられる。
【００４１】
前述のケースは好ましいケースであるが、他の実施例（図示せず）もある。即ち、寸法調整済み画像４が取り込み画像３を置換し、寸法調整済み画像４のみが表示スクリーン２上に表示される。この場合、寸法調整済み画像４を生成することのできる情報は、仮想画像（virtual image）と現実画像（real image）を生成でき、この両者を重ね合わせるあるいは組み合わせることにより、寸法調整済み画像４を形成し、この寸法調整済み画像４が、最終的に表示スクリーン２に表示される。
【００４２】
図１ａ，１ｂに示す実施例のように、個人用装置である第１装置は、広告ポスターである対象物５上に焦点あてることにより、物品の広告を行う取り込み画像３を取る。第２装置は、取り込み画像３を参照してパターンを特定し、前述したパターンの位置基準ベクトルを画像獲得用の第１装置に対し計算し、取り込み画像３に関連する寸法調整済み画像４を生成する（あるいは生成させる）。この取り込み画像３は、図では仮想のキャラクターで、広告用ポスターである対象物５に関連する賞を通知する。この生成された画像である対象物５は、賞には関連しない他の広告用ポスターとは、異なる。
【００４３】
この結果を図１ｂに示す。同図は表示スクリーン２上の携帯電話を示し、この表示スクリーン２では、取り込み画像３と前記それに関連する仮想キャラクターである対象物４が見える。
【００４４】
図２ａ，２ｂに示す実施例においては、対話が可能なあるいはダイナミックな広告が可能な新たな広告の概念の別のアプリケーションを示す。この場合、取り込み画像３は、雑誌である対象物５内に紹介された製品（特に運動靴）の広告である。生成された寸法調整済み画像４は、この運動靴の三次元表示である。前記画像あるいは三次元の寸法調整済み画像４は、別の角度から例えば雑誌である対象物５を移動した時に、観察できる。
【００４５】
図３ａ，３ｂ，３ｃは、図１ａ，１ｂに示した実施例と同一の概念に基づく別の実施例であるが、より進んだもので、第三世代のＵＭＴＳ(Universal Mobile Telecommunications System)の技術により、リアルタイムで動く。即ち表示スクリーン２の上で、寸法調整済み画像４を取り込み画像３に重ねる（置換する）ために寸法調整済み画像４を送信することがほぼ瞬時に可能である。この様な技術（あるいは個人用装置１が携帯電話でない場合には他の類似の技術）を使用する利点は、より大量のデータをより広い周波数帯域で巡回させて、取り込み画像３と寸法調整済み画像４を、図１ａ，１ｂの最も基本的な実施例よりもより、複雑にすることが可能な点である。図３ａは、ユーザが携帯電話のカメラで対象物５を撮り（しかし広告用ポスターの製品の表示の固定写真を撮るような最も基本的な実施例の場合と異なり）、この実施例では現実空間の写真を撮り、それは別の角度から写真を撮ったもの、あるいは画像あるいはビデオシーケンスを撮ったものでさえある。この取り込み画像３（又はビデオシーケンス）に関連する寸法調整済み画像４（又はビデオシーケンス）が、生成され、送信され、表示スクリーン２上で寸法調整済み画像の上に重ねられるかあるいは置換されて示される。この画像は、異なる角度から見た、あるいはの異なる所から見た寸法調整済み画像４（この場合飛行機であるが）であるが、それらは、取り込み画像３のある角度からのそれぞれの視野画面に関連付けられる。位置基準ベクトルの計算結果として、対象物５が携帯電話のカメラで撮られた角度は、変わることができ、表示スクリーン２上で、寸法調整済み画像４の画像も、取り込み画像３と同時に変わる。図３ｂ，３ｃは、携帯電話の表示スクリーン２が２個の異なる角度からのこの様な状況を反映した画像を示す。
【００４６】
寸法調整済み画像４の生成は、様々な方法で実行できる。例えば、第２装置内に記憶された一連の画像の単純な選択から、新たな画像を生成するために前記記憶された画像の操作まで、及び取り込み画像３からのみ開始した新たな寸法調整済み画像４の生成に至るまで様々な方法がある。
【００４７】
個人用装置１は、Augmented Reality Resources専用の装置、Augmented Reality Resourcesのアプリケーションがその機能の１つであるような多機能装置の両方である。これは、携帯電話の場合に当てはまる。この場合、表示スクリーン２は、個人用装置１に属するアプリケーションに関連する情報を示し、ユーザが対話できるタッチパネルの表示スクリーンでもあり、かつ個人用装置１に属するアプリケーションと対話し使用できる。これは電子アジェンダにも当てはまる。
【００４８】
第２の態様において、第１の態様と異なる点は、前記第２装置は、
（Ｘ）  パターンを特定するために、前記取り込まれた画像を処理し、
（Ｙ）  前記表示スクリーン上で、前記取り込まれた画像の上に、重ね合わせる為に適した、寸法調整済み画像又はその組を生成する、前記取り込まれた画像に関連する情報を提供する。
【００４９】
言い換えると、寸法調整済み画像４を生成するために位置基準ベクトルを計算する必要はなく、前記の画像生成と寸法調整は、特定されたパターンに基づいてのみ行われる。本発明の第２の態様の実施例（図示せず）においては、寸法調整済み画像４は、二次元あるいは三次元のテキストメッセージを表し、これは取り込み画像３の上に重ねられているかあるいは取り込み画像３を置換する。
【００５０】
第３の態様において、本発明のAugmented Reality Resourcesのアプリケーション用の画像取り込み機能を具備する個人装置は、
（Ａ）  第１の画像取り込み装置（以下第１装置と称する）と、
（Ｂ）  前記第１装置で取り込まれた画像を表示する表示スクリーンと、
（Ｃ）  第２装置と、
第２装置は、パターンを特定するために、前記取り込まれた画像を処理し、
（Ｄ）  前記取り込まれ画像又はその一部と位置基準ベクトルを遠隔地に送信する通信ユニットと
を有する。
【００５１】
前記第２装置は、前記特定されたパターンの位置基準ベクトルを、前記第１装置に対し計算する。
前記通信装置は、位置基準ベクトルを遠隔地に送信する。
【００５２】
前記第２装置は、
前記遠隔地から来た前記取り込まれた画像（３）に関連する情報を受信し、処理し、
前記位置基準ベクトルを考慮に入れながら、前記表示スクリーン上で、前記取り込まれた画像の上に重ねるのに適した寸法調整済み画像又はその組を生成する、前記取り込まれた画像に関連する情報を提供する。
【００５３】
第４の態様において、本発明のAugmented Reality Resourcesのアプリケーション用の方法は、画像取り込み機能を有する個人用装置により、
（Ａ）  第１装置で画像を取り込むステップと、
（Ｂ）  前記取り込まれた画像を、前記個人用装置の表示スクリーン上に表示するステップと、
（Ｃ）  前記取り込まれた画像を、第２装置に送信するステップと、
（Ｄ）  前記第２装置内で、以下のサブステップを実行するステップと、
（Ｘ）  パターンを特定するために、前記取り込まれた画像を処理するサブステップ、
（Ｙ）  前記特定されたパターンの位置基準ベクトルを、前記第１装置に対し計算るサブステップ、
（Ｚ）  前記位置基準ベクトルを考慮に入れながら、前記表示スクリーン上で、前記取り込まれた画像の上に重ねるのに適した寸法調整済画像又はその組を生成する、前記取り込まれた画像に関連する情報を提供するるサブステップ、
（Ｅ）  前記寸法調整済み画像あるいはその組を、取り込まれた画像の上に重ねて、表示スクリーンに表示するステップと
を実行する。
【００５４】
本発明の方法は、（Ｆ）前記提供された情報に基づいて、取り込まれた画像と寸法調整済み画像の両方の組に対する上記の全てのステップを実行するステップさらにを有する。取り込み画像３と寸法調整済み画像４の異なる角度から見たこの画像は、その目的は前記捕獲が異なる角度から実行されることであるが、前記提供された情報は前記寸法調整済み画像４の異なる画像を生成するデータを含み、それらの各々はそれぞれの角度から見たものである。
【００５５】
一実施例によれば、前記画像の組は、ビデオシーケンスを形成する。
【００５６】
第５の態様によれば、本発明のAugmented Reality Resourcesのアプリケーション用の方法は、画像取り込み機能を有する個人用装置により、
（Ａ）  第１装置で画像を取り込むステップと、
（Ｂ）  前記取り込まれた画像を、前記個人用装置の表示スクリーン上に表示するステップと、
（Ｃ）  前記取り込まれた画像を、第２装置に送信するステップと、
（Ｄ）  前記第２装置内で、以下のサブステップを実行するステップと、
（Ｘ）  パターンを特定するために、前記取り込まれた画像を処理するサブステップと、
（Ｙ）  前記表示スクリーン上で、前記取り込まれた画像の上に重ねるのに適した寸法調整済み画像又はその組を生成する、前記取り込まれた画像に関連する情報を提供するるサブステップと、
（Ｅ）  前記寸法調整済み画像あるいは寸法調整済み画像の組を、取り込まれた画像の上に重ねて、表示スクリーンに表示するステップと
を実行する。
【００５７】
一実施例によれば、前記寸法調整済み画像４は、二次元あるいは三次元のテキストメッセージを表示する。
【００５８】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００５９】
【図１ａ】現実空間の画像を獲得したときの一実施例に対する本発明の装置を表す図。
【図１ｂ】図１ａと同一の実施例で、本発明の装置の表示スクリーンに、前記の取り込んだ画像と、この取り込んだ画像に関し受信し、重ね合わせた仮想の画像が見える図。
【図２ａ】本発明の他の実施例の個人用装置で取り込まれた物品（靴）が掲載された雑誌を表す図。
【図２ｂ】本発明の表示スクリーンの取り込まれた画像上に、図２ａの雑誌に掲載された物品を本発明のカメラで撮影して、前記画像の上に重ね合わされた同一の物品の斜視図を表す三次元の仮想画像を表す図。
【図３ａ】本発明の他の実施例で、本発明の装置がリアルタイムで仮想画像を受信したときに現実空間画像を取り込み、表示スクリーン上で、重ね合わせた両方の画像を表示した図。
【図３ｂ】図３ａと同一の実施例に対し、本発明の装置の表示スクリーン上に表示された特定の角度から視たAugmented Realityの特徴を具備した画像を表す図。
【図３ｃ】図３ａと同一の実施例に対し、本発明の装置の表示スクリーン上に表示された別の角度から視たAugmented Realityの特徴を具備した画像を表す図。
【符号の説明】
【００６０】
１    個人用装置
２    表示スクリーン
３    取り込み画像
４    寸法調整済み画像
５    対象物
【図１ａ】
2008521110.tif 000003
【図１ｂ】
2008521110.tif 000004
【図２ａ】
2008521110.tif 000005
【図２ｂ】
2008521110.tif 000006
【図３ａ】
2008521110.tif 000007
【図３ｂ】
2008521110.tif 000008
【図３ｃ】
2008521110.tif 000009
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
Augmented Reality Resourcesのアプリケーション用の画像取り込み機能を具備する個人装置において、
（Ａ）  第１の画像取り込み装置（以下第１装置と称する）と、
（Ｂ）  前記第１装置で取り込まれた画像（３）を表示する表示スクリーン（２）と、
（Ｃ）  第２装置との接続装置と、
を有し、
前記第２装置は、
（Ｘ）  パターンを特定するために、前記取り込まれた画像（３）を処理し、
（Ｙ）  前記特定されたパターンの位置基準ベクトル（positional reference vector）を、前記第１装置に対し計算し、
（Ｚ）  前記位置基準ベクトルを考慮に入れながら、前記表示スクリーン（２）上で、前記取り込まれた画像（３）の上に重ねるのに適した寸法調整済み画像（４）又はその組を生成する、前記取り込まれた画像（３）に関連する情報を提供する
ことを特徴とする個人用装置。
【請求項２】
前記第２装置は、前記個人用装置（１）に組み込まれて、第１装置との組み立て体を形成する
ことを特徴とする請求項１記載の装置。
【請求項３】
前記第２装置は、遠隔地にあり、
前記個人用装置（１）は、
（Ｄ）  前記第２装置と通信するのに適した通信ユニット
を更に有する
ことを特徴とする請求項１記載の装置。
【請求項４】
前記第２装置を組み込む構成要素は、遠隔地と個人用装置（１）との間に配置され
前記個人用装置（１）は、
（Ｅ）  前記遠隔地にある構成要素と通信できる通信ユニット
を更に有する
ことを特徴とする請求項１記載の装置。
【請求項５】
前記パターンは、グラフィック要素を表す
ことを特徴とする請求項１記載の装置。
【請求項６】
前記グラフィック要素は、対象物（５）の画像の一部である
ことを特徴とする請求項５記載の装置。
【請求項７】
前記グラフィック要素は、対象物（５）の画像の全てである
ことを特徴とする請求項５記載の装置。
【請求項８】
前記情報は、三次元画像を生成するデータを含む
ことを特徴とする請求項１記載の装置。
【請求項９】
前記通信ユニットは、前記取り込まれた画像（３）を、前記第２装置あるいはその一部に、送信する
ことを特徴とする請求項３もしくは４記載の装置。
【請求項１０】
前記第２装置は、
受信した取り込まれた画像（３）を処理し、
各特定されたパターンの位置基準ベクトルを、個人用装置（１）に返信する
ことを特徴とする請求項９記載の装置。
【請求項１１】
前記第２装置は、返信された位置基準ベクトル用の関連マスクを具備する画像（４）を、個人用装置（１）に、返信する
ことを特徴とする請求項１０記載の装置。
【請求項１２】
前記第２装置は、前記寸法調整済み画像（４）又はその組の生成ができるように、各返信された位置基準ベクトル用のマスクを、個人用装置（１）に返信する
ことを特徴とする請求項１０記載の装置。
【請求項１３】
前記個人用装置（１）内に配置された第２装置の構成要素は、前記寸法調整済み画像（４）又はその組を、個人用装置（１）に返信された前記位置基準ベクトル又はマスクに応じて、生成する
ことを特徴とする請求項１０もしくは１２記載の装置。
【請求項１４】
前記個人用装置（１）内に配置された第２装置の構成要素は、その中に記憶された一連の画像を有し、
前記構成要素は、前記寸法調整済み画像（４）又はその組を、前記一連の記憶された画像から、選択手段により、生成する
ことを特徴とする請求項１３記載の装置。
【請求項１５】
前記構成要素は、前記寸法調整済み画像（４）又はその組を生成するために、前記記憶された画像を操作する
ことを特徴とする請求項１４記載の装置。
【請求項１６】
前記表示スクリーン（２）上で、前記返信されたあるいは生成された寸法調整済み画像（４）を、前記取り込まれた画像（３）の上に重ね合わせる
ことを特徴とする請求項１１もしくは１３記載の装置。
【請求項１７】
前記通信ユニットは、前記取り込まれた画像（３）を前記第２装置に、少なくとも部分的に、あるいは白黒画像で、送信する
ことを特徴とする請求項９記載の装置。
【請求項１８】
前記通信ユニットは、前記取り込まれた画像（３）を前記第２装置に、全部あるいは一部を、送信する
ことを特徴とする請求項９記載の装置。
【請求項１９】
前記表示スクリーン（２）は、個人用装置（１）に属するアプリケーションに関連する情報を表示する
ことを特徴とする請求項１記載の装置。
【請求項２０】
前記表示スクリーン（２）は、タッチパネル表示スクリーンであり、
ユーザは、個人用装置（１）に属するアプリケーションと対話あるいは使用できる
ことを特徴とする請求項１９記載の装置。
【請求項２１】
Augmented Reality Resourcesのアプリケーション用の画像取り込み機能を具備する個人装置において
（Ａ）  第１の画像取り込み装置（以下第１装置と称する）と、
（Ｂ）  前記第１装置で取り込まれた画像（３）を表示する表示スクリーン（２）と、
（Ｃ）  第２装置との接続装置と、
を有し、
前記第２装置は、
（Ｘ）  パターンを特定するために、前記取り込まれた画像（３）を処理し、
（Ｙ）  前記表示スクリーン（２）上で、前記取り込まれた画像（３）の上に、重ね合わせる為に適した、寸法調整済み画像（４）又はその組を生成する、前記取り込まれた画像（３）に関連する情報を提供する
ことを特徴とする個人用装置。
【請求項２２】
前記寸法調整済み画像（４）は、二次元あるいは三次元のテキストメッセージを表示する
ことを特徴とする請求項２１記載の装置。
【請求項２３】
Augmented Reality Resourcesのアプリケーション用の画像取り込み機能を具備する個人装置において
（Ａ）  第１の画像取り込み装置（以下第１装置と称する）と、
（Ｂ）  前記第１装置で取り込まれた画像（３）を表示する表示スクリーン（２）と、
（Ｃ）  第２装置との接続装置と、
（Ｄ）  前記取り込まれた画像（３）又はその一部と位置基準ベクトルを遠隔地に送信する通信ユニットと
を有し、
前記第２装置は、
（Ｘ）  パターンを特定するために、前記取り込まれた画像（３）を処理し、
（Ｙ）  前記特定されたパターンの位置基準ベクトルを、前記第１装置に対し計算する
ことを特徴とする個人用装置。
【請求項２４】
前記第２装置は、
前記遠隔地から来た前記取り込まれた画像（３）に関連する情報を受信し、処理し、
前記位置基準ベクトルを考慮に入れながら、前記表示スクリーン（２）上で、前記取り込まれた画像（３）の上に重ねるのに適した寸法調整済み画像（４）又はその組を生成する、前記取り込まれた画像（３）に関連する情報を提供する
ことを特徴とする請求項２３記載の装置。
【請求項２５】
Augmented Reality Resourcesのアプリケーション用の方法において、
画像取り込み機能を有する個人用装置により実行される、
（Ａ）  第１装置で画像を取り込むステップと、
（Ｂ）  前記取り込まれた画像（３）を、前記個人用装置（１）の表示スクリーン（２）上に表示するステップと、
（Ｃ）  前記取り込まれた画像（３）を、第２装置に送信するステップと、
（Ｄ）  前記第２装置内で、以下のサブステップを実行するステップと、
（Ｘ）  パターンを特定するために、前記取り込まれた画像（３）を処理するサブステップ、
（Ｙ）  前記特定されたパターンの位置基準ベクトルを、前記第１装置に対し計算るサブステップ、
（Ｚ）  前記位置基準ベクトルを考慮に入れながら、前記表示スクリーン（２）上で、前記取り込まれた画像（３）の上に重ねるのに適した寸法調整済み画像（４）又はその組を生成する、前記取り込まれた画像（３）に関連する情報を提供するるサブステップ、
（Ｅ）  前記寸法調整済み画像（４）あるいはその組を、取り込まれた画像（３）の上に重ねて、表示スクリーン（２）に表示するステップと
を有する
ことを特徴とする方法。
【請求項２６】
（Ｆ）  前記提供された情報に基づいて、取り込まれた画像（３）と寸法調整済み画像（４）の両方の組に対する上記の全てのステップを実行するステップ
さらにを有する
ことを特徴とする請求項２５記載の方法。
【請求項２７】
前記画像の組は、ビデオシーケンスを形成する
ことを特徴とする請求項２６記載の方法。
【請求項２８】
（Ｇ）  異なる角度から前記（Ａ）ステップを実行する
ことを特徴とする請求項２５もしくは２６記載の方法。
【請求項２９】
前記提供された情報は、それぞれの角度から見た寸法調整済み画像（４）又はその組を生成するデータを含む
ことを特徴とする請求項２５もしくは２６記載の方法。
【請求項３０】
Augmented Reality Resourcesのアプリケーション用の方法において、
画像取り込み機能を有する個人用装置により実行される、
（Ａ）  第１装置で画像を取り込むステップと、
（Ｂ）  前記取り込まれた画像（３）を、前記個人用装置（１）の表示スクリーン（２）上に表示するステップと、
（Ｃ）  前記取り込まれた画像（３）を、第２装置に送信するステップと、
（Ｄ）  前記第２装置内で、以下のサブステップを実行するステップと、
（Ｘ）  パターンを特定するために、前記取り込まれた画像（３）を処理するサブステップと、
（Ｙ）  前記表示スクリーン（２）上で、前記取り込まれた画像（３）の上に重ねるのに適した寸法調整済み画像（４）又はその組を生成する、前記取り込まれた画像（３）に関連する情報を提供するるサブステップと、
（Ｅ）  前記寸法調整済み画像（４）あるいは寸法調整済み画像（４）の組を、取り込まれた画像（３）の上に重ねて、表示スクリーン（２）に表示するステップと
を有する
ことを特徴とする方法。
【請求項３１】
前記寸法調整済み画像（４）は、二次元あるいは三次元のテキストメッセージを表示する
ことを特徴とする請求項３０記載の方法。
【請求項３２】
前記（Ａ）ステップの後のステップをリアルタイムで実行する
ことを特徴とする請求項２５もしくは３０記載の方法。
【請求項３３】
前記ステップをリアルタイムで実行するために、
（Ｆ）  前記第２装置と通信するために第三世代のＵＭＴＳを使用するステップ
を更に有する
ことを特徴とする請求項３２記載の方法。
【手続補正２】
【補正対象書類名】明細書
【補正対象項目名】０００６
【補正方法】変更
【補正の内容】
【０００６】
【特許文献１】米国特許出願第２００２／０１８８９５９号明細書
【特許文献２】米国特許出願第２００４／０１１３８８５号明細書
【特許文献３】米国特許出願第２００２／０１６７５３６号明細書
【特許文献４】米国特許出願第２００３／０１７９２１８号明細書
【特許文献５】日本特許公開第２００４−３４１６４２号明細書
【手続補正３】
【補正対象書類名】明細書
【補正対象項目名】００１０
【補正方法】変更
【補正の内容】
【００１０】
この様なアプリケーションの代表例が特許文献３で提案されている。特許文献３は、コンピュータで生成されたシーンを現実のシーンに重ね合わせることにより、Augmented Realityを見ることができるようにする表示装置を有する携帯用の電子装置とその方法とシステムに関連する。この様な表示装置は、２つの位置（position）を採用する。その内の１つの位置で、仮想シーンと重ね合わさった現実シーンを見ることができるようになる。これは、表示スクリーンに回転可能に搭載した半透明のミラーと表示手段とで得られる。このミラーを通して、（半透明である故にそれが可能であるが）、ユーザは、現実空間をユーザの位置に応じて見ることができ、表示スクリーン上に表示された仮想の画像をそこに反映させることもできる。これにより、ミラー内で現実のイメージ内に重ね合わせられる。
【手続補正４】
【補正対象書類名】明細書
【補正対象項目名】００１１
【補正方法】変更
【補正の内容】
【００１１】
特許文献４は、Augmented Reality機能として定義されたシステムと方法を提案する。しかし実際にはこの特許出願に記載された技術は、常識的には、Augmented Realityではない、即ち仮想現実と現実空間との組み合わせではない。特許文献４は、現実空間の環境の三次元仮想モデルを構築し、この仮想モデルの上に他の仮想対象物を重ね合わせる。即ち特許文献４は、仮想画像と他の仮想画像との組み合わせを開示し、現実画像との組み合わせを開示しない。仮想モデルの上に重ねられるべき仮想目的物は、ユーザにより選択される。この選択を受動的に行うことは、特許文献４には教示も示唆もされていない。
【手続補正５】
【補正対象書類名】明細書
【補正対象項目名】００１２
【補正方法】変更
【補正の内容】
【００１２】
特許文献５は、画像を構成し表示する方法、画像を合成し表示するプログラム、記録された画像を合成し表示するプログラムを具備する記録媒体を提案する。この特許文献５は、写真画像（位置情報の測定値用のマーカのイメージを含む）を遠隔地で処理する方法を提案する。この方法は、受信した写真画像内のマーカの位置に合成された仮想目的物の画像を有する合成画像を生成し、この合成画像を通信ネットワークを介して送信する。この合成画像は、Augmented Reality画像と見なすことができ、これは写真画像であり一実施例では個人用装置で実行される現実空間の写真であり、遠方で生成された合成画像を受領する。特許文献５は、仮想画像を遠方で生成し、仮想画像のみを送り、局部的に個人用装置内で重ね合わせることを行う方法は、教示も示唆もしていない。
【国際調査報告】
2008521110.tif 000010
2008521110.tif 000011
2008521110.tif 000012
2008521110.tif 000013